(57)【特許請求の範囲】
【請求項１】
一対の観察光学系と、撮影光学系とを具備して成る撮影機能付双眼鏡において、
前記撮影光学系の光軸が前記一対の観察光学系の光軸によって規定される平面内に含まれるように該撮影光学系が該一対の観察光学系に対して配置され、
前記一対の観察光学系及び前記撮影光学系を収容するケーシングが設けられ、
このケーシングは中央ケーシング部分と、この中央ケーシング部分の一端側で摺動自在に係合させられた第１の側方ケーシング部分と、前記中央ケーシング部分の他端側で摺動自在に係合させられた第２の側方ケーシング部分とから成り、
前記中央ケーシング部分には前記撮影光学系が収容され、
前記第１の側方ケーシング部分には前記一対の観察光学系の一方が収容され、
前記第２の側方ケーシング部分には前記一対の観察光学系の他方が収容され、
前記第１及び第２の側方ケーシング部分を前記中央ケーシング部分に対して前記平面と平行な方向に相対的に移動させることにより、前記一対の観察光学系の眼幅調節が行われる
ことを特徴とする撮影機能付双眼鏡。
【請求項２】
請求項１に記載の撮影機能付双眼鏡において、前記一対の観察光学系の任意の眼幅調節位置で前記撮影光学系が常に前記一対の観察光学系の中央位置となるように前記中央ケーシング部分に対する前記第１及び第２の側方ケーシング部分の相対移動を連動させる連動機構が設けられることを特徴とする撮影機能付双眼鏡。
【請求項３】
請求項１または２に記載の撮影機能付双眼鏡において、前記各観察光学系にはその光軸に沿って対物光学系、正立光学系及び接眼光学系が含まれ、しかも前記対物光学系と前記正立光学系及び接眼光学系とは該観察光学系の光軸に沿って互いに相対的に移動可能とされ、前記中央ケーシング部分には前記一対の観察光学系の間に転輪軸筒が配置され、前記各観察光学系を合焦させるべく前記転輪軸筒の回転運動を該観察光学系の対物光学系と正立光学系及び接眼光学系との間の相対的直線運動に変換させる観察光学系用合焦機構が設けられ、前記転輪軸筒内に前記撮影光学系が設置されることを特徴とする撮影機能付双眼鏡。
【請求項４】
請求項３に記載の撮影機能付双眼鏡において、前記撮影光学系を合焦させるべく前記転輪軸筒の回転運動を該撮影光学系の直線運動に変換させる撮影光学系用合焦機構が設けられることを特徴とする撮影機能付双眼鏡。
【請求項５】
請求項４に記載の撮影機能付双眼鏡において、前記転輪軸筒の後方側端から所定距離離れて前記撮影光学系と整列された固体撮像素子が設けられ、この固体撮像素子の受光面が前記撮影光学系の合焦面とされることを特徴とする撮影機能付双眼鏡。
【発明の詳細な説明】
【０００１】
【発明の属する技術分野】
本発明はカメラを搭載した撮影機能付双眼鏡に関する。
【０００２】
【従来の技術】
周知のように、双眼鏡は例えばスポーツ観戦や野鳥観察等に利用される。このような場合、観戦者或いは観察者は写真として記録したい場面に屡々遭遇するが、しかし双眼鏡をカメラに持ち替える間にシャッタチャンスを逃すことは容易に想像し得る。そこで、双眼鏡で観戦或いは観察中にシャッタチャンスを逃すことなく直ちに撮影を行えるように、双眼鏡にカメラを搭載した撮影機能付双眼鏡が既に提案されている。
【０００３】
例えば、実開平6-2330号公報には、一対の観察光学系から成る双眼鏡のハウジングの中央上部にカメラ部を搭載したタイプの撮影機能付双眼鏡が開示されている。このような撮影機能付双眼鏡では、一対の観察光学系はファインダ光学系として機能し、そこで観察された観察対象物が被写体としてカメラ部によって撮影されることになる。
【０００４】
ところが、上記公開公報に開示されているような構成の撮影機能付双眼鏡においては、一対の観察光学系と撮影光学系との間には水平方向及び垂直方向のいずれにも視差(パララックス)が存在し、観察範囲と撮影範囲とが一致しない。観察範囲と撮影範囲との差異(ずれ)は、被写体距離が近いほど顕著であり、比較的近距離にある観察対象物を撮影した場合、所望の画像が撮影されていないという不具合を生じる。
【０００５】
【発明が解決しようとする課題】
従って、本発明の目的は、双眼鏡としての一対の撮影光学系と、カメラとしての撮影光学系とを具備して成る撮影機能付双眼鏡であって、一対の観察光学系と撮影光学系との間の視差(パララックス)を完全に排除するか若しくは該視差をできる限り小さくするように構成された撮影機能付双眼鏡を提供することである。
【０００６】
本発明の別の目的は、上述したような撮影機能付双眼鏡であって、その双眼鏡としての機能を果たすために必要とされる全体構成以上に大巾に嵩張らせることなく撮影機能を組み込み得るように構成された撮影機能付双眼鏡を提供することである。
【０００７】
本発明の更に別の目的は、上述したような撮影機能付双眼鏡であって、双眼鏡で観察される観察像とカメラによって撮影される被写体像との双方の合焦が確実に保証され得るように構成された撮影機能付双眼鏡を提供することである。
【０００８】
【課題を解決するための手段】
本発明による撮影機能付双眼鏡は一対の観察光学系と、撮影光学系とを具備する。本発明によれば、撮影光学系の光軸が一対の観察光学系の光軸によって規定される平面内に含まれるように該撮影光学系が該一対の観察光学系に対して配置される。
【０００９】
本発明による撮影機能付双眼鏡の好適な実施形態においては、一対の観察光学系及び撮影光学系を収容するケーシングが設けられ、このケーシングは中央ケーシング部分と、この中央ケーシング部分の一端側で摺動自在に係合させられた第１の側方ケーシング部分と、該中央ケーシング部分の他端側で摺動自在に係合させられた第２の側方ケーシング部分とから成る。第１の側方ケーシング部分には一対の観察光学系の一方が収容され、第２の側方ケーシング部分には一対の観察光学系の他方が収容され、第１及び第２の側方ケーシング部分を中央ケーシング部分に対して相対的に移動させることにより、一対の観察光学系の眼幅調節が行われる。
【００１０】
好ましくは、撮影光学系が中央ケーシング部分に配置され、一対の観察光学系の任意の眼幅調節位置で前記撮影光学系が常に一対の観察光学系の中央位置となるように中央ケーシング部分に対する第１及び第２の側方ケーシング部分の相対移動を連動させる連動機構が設けられる。
【００１１】
本発明による撮影機能付双眼鏡の更に好適な実施形態にあっては、各撮影光学系にはその光軸に沿って対物光学系、正立光学系及び接眼光学系が含まれ、しかも対物光学系と正立光学系及び接眼光学系とは該観察光学系の光軸に沿って互いに相対的に移動可能とされる。中央ケーシング部分には一対の観察光学系の間に転輪軸筒が配置され、各観察光学系を合焦させるべく転輪軸筒の回転運動を該観察光学系の対物光学系と正立光学系及び接眼光学系との間の相対的直線運動に変換させる観察光学系用合焦機構が設けられ、転輪軸筒内に撮影光学系が設置される。
【００１２】
本発明による撮影機能付双眼鏡においては、撮影光学系を合焦させるべく転輪軸筒の回転運動を該撮影光学系の直線運動に変換させる撮影光学系用合焦機構が設けられ得る。また、転輪軸筒の後方側端から所定距離離れて撮影光学系と整列された固体撮像素子を設け、この固体撮像素子の受光面を撮影光学系の合焦面とすることができる。
【００１３】
【発明の実施の形態】
次に、添付図面を参照して、本発明による撮影機能付双眼鏡の一実施形態について説明する。
【００１４】
先ず、図１を参照すると、本発明による撮影機能付双眼鏡の第１の実施形態の内部構造が平面図として示され、図２には、図１のII-II線に沿う断面図が示されている。図１及び図２に示すように、撮影機能付双眼鏡は略直方形を呈するケーシング１０を具備し、このケーシング１０は中央ケーシング部分１０Ｃと、第１の側方ケーシング部分即ち右側ケーシング部分１０Ｒと、第２の側方ケーシング部分即ち左側ケーシング部分１０Ｌとから成る。
【００１５】
第１の側方ケーシング部分即ち右側ケーシング部分１０Ｒは中央ケーシング部分１０Ｃから右方に引き出し得るように該中央ケーシング部分１０Ｃに対して摺動自在に係合させられ、また第２の側方ケーシング部分即ち左側ケーシング部分１０Ｌは中央ケーシング部分１０Ｃから左方に引き出し得るように該中央ケーシング部分１０Ｃに対して摺動自在に係合させられる。即ち、右側ケーシング部分１０Ｒ及び左側ケーシング部分１０Ｌの双方はそれぞれ図２に示す収納位置と図３に示す最大引出し位置との間で左右方向に移動自在とされる。各側方ケーシング部分（１０Ｒ、１０Ｌ）と中央ケーシング部分１０Ｃとの間の摺動係合面には或る程度の摩擦力が働くようになっており、このため中央ケーシング部分１０Ｃに対して側方ケーシング部分（１０Ｒ、１０Ｌ）を移動させる際にはそこに所定以上の引出し力或いは押込み力を及ぼすことが必要となる。換言すれば、側方ケーシング部分（１０Ｒ、１０Ｌ）はその収納位置（図２）と最大引出し位置（図３）との間の任意の位置で摩擦力で留めておくことが可能である。
【００１６】
ケーシング１０内には一対の観察光学系１２Ｒ及び１２Ｌが設けられ、この一対の観察光学系１２Ｒ及び１２Ｌは左右対称な構成を有し、それぞれ右眼観察用及び左眼観察用として使用される。右側観察光学系１２Ｒは右側ケーシング部分１０Ｒに組み込まれ、この右側観察光学系１２Ｒには対物レンズ１４Ｒ、正立プリズム１６Ｒ及び接眼レンズ１８Ｒが含まれる。同様に、左側観察光学系１２Ｌは左側ケーシング部分１０Ｌに組み込まれ、この左側観察光学系１２Ｌには対物レンズ１４Ｌ、正立プリズム１６Ｌ及び接眼レンズ１８Ｌが含まれる。なお、図１では、右側観察光学系１２Ｒ及び左側観察光学系１２Ｌのそれぞれの光軸については参照符号ＯＲ及びＯＬで示されている。
【００１７】
なお、以下の記載では、説明の便宜上、前方側及び後方側とはそれぞれ撮影機能付双眼鏡の観察光学系（１２Ｒ、１２Ｌ）に対して対物側及び接眼側として定義される。
【００１８】
図１に示すように、右側ケーシング部分１０Ｒの前方壁には観察窓１９Ｒが形成され、この観察窓１９Ｒは右側観察光学系１２Ｒの対物レンズ１４Ｒと整列させられる。同様に、左側ケーシング部分１０Ｌの前方壁には観察窓１９Ｌが形成され、この観察窓１９Ｌは左側観察光学系１２Ｌの対物レンズ１４Ｒと整列させられる。
【００１９】
図２及び図３の比較から明らかなように、右側ケーシング部分１０Ｒが中央ケーシング部分１０Ｃに対して移動させられるとき、右側観察用光学系１２Ｒは右側ケーシング部分１０Ｒと共に移動する。同様に、左側ケーシング部分１０Ｌが中央ケーシング部分１０Ｃに対して移動させられるとき、左側観察用光学系１２Ｌは左側ケーシング部分１０Ｌと共に移動する。要するに、中央ケーシング部分１０Ｃから右側ケーシング部分１０Ｒ及び左側ケーシング部分１０Ｌを適当な位置まで引き出すことにより、右側観察光学系１２Ｒと左側観察光学系１２Ｌとの光軸間距離即ち眼幅が調節されることになる。
【００２０】
右側観察光学系１２Ｒの対物レンズ１４Ｒは右側ケーシング部分１０Ｒに対して固定位置に設置されるが、その正立プリズム１６Ｒ及び接眼レンズ１８Ｒは対物レンズ１４Ｒに対して前後方向に移動可能であり、これにより右側観察光学系１２Ｒの合焦（フォーカシング）が行われる。同様に、左側観察光学系１２Ｌの対物レンズ１４Ｌは左側ケーシング部分１０Ｌに対して固定位置に設置されるが、その正立プリズム１６Ｌ及び接眼レンズ１８Ｌは対物レンズ１４Ｌに対して前後方向に移動可能であり、これにより左側観察光学系１２Ｌの合焦（フォーカシング）が行われる。
【００２１】
以上で述べたような眼幅調節及び合焦動作を行わせるために、ケーシング１０の底部側には図４及び図５に示すような支持板構造体２０が設けられ、この支持板構造体２０は図２及び図３から明らかなようにケーシング１０の底部から適当な間隔を空けて設置される。なお、図１では、図示の複雑化を避けるために支持板構造体２０は省かれている。
【００２２】
支持板構造体２０は右側スライド板２０Ｒと左側スライド板２０Ｌとから成り、双方のスライド板は右側スライド板２０Ｒが左側スライド板２０Ｌの下側となるように互いに重ね合わされる。右側スライド板２０Ｒの右側辺の前方側及び後方側からはそれぞれ張出し部２１Ｒ及び２２Ｒが突出させられ、その先端側は直角に折り曲げられて右側ケーシング部分１０Ｒの仕切り壁２３Ｒに適宜固着される（図２及び図３）。一方、左側スライド板２０Ｌの右側辺の前方側及び後方側からはそれぞれ張出し部２１Ｌ及び２２Ｌが突出させられ、その先端側は直角に折り曲げられて左側ケーシング部分１０Ｌの仕切り壁２３Ｌに適宜固着される（図２及び図３）。
【００２３】
左側スライド板２０Ｌには３つの案内スロット２４が形成され、そのうちの２つは左側スライド板２０Ｌの前方縁辺に沿って配置され、残りの１つは左側スライド板２０Ｌの後方縁辺に沿ってほぼ中央に配置される。一方、右側スライド板２０Ｒには３つの案内スロット２４に対応して３つの案内ピン２５が植設され、各案内ピン２５はその該当案内スロット２４内に摺動自在に受け入れられる。かくして、右側スライド板２０Ｒ及び左側スライド板２０Ｌは互いに対して左右方向に相対的に移動可能である。各案内スロット２４は左右方向に同じ長さだけ延び、その長さは中央ケーシング部分１０Ｃに対する２つの側方ケーシング部分１０Ｒ及び１０Ｌの最大移動距離の合計に等しい。
【００２４】
右側ケーシング部分１０Ｒと左側ケーシング部分１０Ｌとが中央ケーシング部分１０Ｃに対して収納位置に置かれているとき（図２）、右側スライド板２０Ｒと左側スライド板２０Ｌとは図４に示すような相対位置に置かれ、右側ケーシング部分１０Ｒと左側ケーシング部分１０Ｌとが収納位置（図２）から最大引出し位置（図３）まで移動させられると、右側スライド板２０Ｒ及び左側スライド板２０Ｌは図４に示す位置から図５に示す位置まで互いに対して左右方向に相対的に移動させられる。
【００２５】
右側ケーシング部分１０Ｒと左側ケーシング部分１０Ｌとが中央ケーシング部分１０Ｃから引き出されるとき、その双方の引出し距離が常に同じとなるように、右側スライド板２０Ｒと左側スライド板２０Ｌとの間にはラック／ピニオン機構２６が組み込まれる。ラック／ピニオン機構２６は右側スライド板２０Ｒに形成された第１のラック２６ａと、左側スライド板２０Ｌに形成された第２のラック２６bと、第１及び第２のラック２６ａ及び２６ｂの双方に噛み合ったピニオン２６ｃとから成る。
【００２６】
詳述すると、図４及び図５に示すように、右側スライド板２０Ｒにはその左方側辺から右方に切り込まれた切込み部２７が形成され、その切込み部２７の最右方側は前後方向の幅が狭められた狭幅部分とされ、その狭幅部分の前方側辺に沿って第１のラック２６aが形成される。一方、左側スライド板２０Ｌにはその右方側辺から左方に切り込まれた切込み部２８が形成され、その切込み部２８の後方側辺の最も奥まった部分に沿って第２のラック２６ｂが形成される。ピニオン２６ｃは中央ケーシング部分１０Ｃの底部から突出した軸２９の先端に回転自在に装着されて第１及び第２のラック２６ａ及び２６ｂに噛み合わされる。なお、図２及び図３から明らかなように、軸２９は中央ケーシング部分１０Ｃの底部に形成された中央隆起部３０に植設される。
【００２７】
このようなラック／ピニオン機構２６の構成により、右側ケーシング部分１０Ｒと左側ケーシング部分１０Ｌとは常に中央ケーシング部分１０Ｃから同じ距離だけ引き出されることになる。即ち、例えば、右側ケーシング部分１０Ｒが中央ケーシング部分１０Ｃから或る距離だけ引き出されたとき、ラック／ピニオン機構２６のために左側ケーシング部分１０Ｌもその距離と同じ距離だけ引き出され、またその逆の移動時についても同じことが言える。
【００２８】
図６及び図７を参照すると、右側観察光学系１２Ｒの正立プリズム１６Ｒを搭載するための右側マウント板３１Ｒと、左側観察光学系１２Ｌの正立プリズム１６Ｌを搭載するための左側マウント板３１Ｌが示される。図６及び図７から明らかなように、右側マウント板３１Ｒ及び左側マウント板３１Ｌのそれぞれの後方側縁辺に沿って直立板３２Ｒ及び３２Ｌが設けられる。図１に示すように、右側直立板３２Ｒは右側接眼レンズ１８Ｒの取付座として用いられ、左側直立板３２Ｌは左側接眼レンズ１８Ｌの取付座として用いられる。
【００２９】
図７に示すように、右側マウント板３１Ｒの底面にはその右側縁辺のほぼ中央に案内シュー３４Ｒが固着され、この案内シュー３４Ｒには図２及び図３に示すように右側スライド板２０Ｒの右方側辺縁を摺動自在に受け入れる溝３６Ｒが形成される。また、右側マウント板３１Ｒの左側縁辺に沿って側壁３８Ｒが設けられ、この側壁３８Ｒの底部側は肥大部４０Ｒとして形成され、この肥大部４０Ｒには案内ロッド４２Ｒを摺動自在に挿通させるボアが形成される。図４及び図５に示すように、案内ロッド４２Ｒの両端は右スライド板２０Ｒ上で前後方向に所定の間隔で配置されて固着された一対の対向直立支持片４４Ｒによって適宜支持される。
【００３０】
同様に、左側マウント板３１Ｌの底面にはその左側縁辺のほぼ中央に案内シュー３４Ｌが固着され、この案内シュー３４Ｌには図２及び図３に示すようにスライド板２０Ｌの左方側辺縁を摺動自在に受け入れる溝３６Ｌが形成される。また、左側マウント板３１Ｌの右側縁辺に沿って側壁３８Ｌが設けられ、この側壁３８Ｌの底部側は肥大部４０Ｌとして形成され、この肥大部４０Ｌには案内ロッド４２Ｌを摺動自在に挿通させるボアが形成される。図４及び図５に示すように、案内ロッド４２Ｌの両端は左スライド板２０Ｌ上で前後方向に所定の間隔で配置されて固着された一対の対向直立支持片４４Ｌによって適宜支持される。
【００３１】
なお、上述したように、支持板構造体２０は図１では省かれているが、一対の対向直立支持片４４Ｒと一対の対向直立支持片４４Ｌとについては図示されている。
【００３２】
また、右側観察光学系１２Ｒの対物レンズ１４Ｒは右側スライド板２０Ｒ上で右側マウント板３１Ｒの前方側に設置されるので、右側マウント板３１Ｒを案内ロッド４２Ｒに沿って前後に移動させることにより、対物レンズ１４Ｒと正立プリズム１６Ｒとの距離が調節させられて、右側観察光学系１２Ｒの合焦動作が行われることになる。同様に、左側観察光学系１２Ｌの対物レンズ１４Ｌは左側スライド板２０Ｌ上で左側マウント板３１Ｌの前方側に設置されるので、左側マウント板３１Ｌを案内ロッド４２Ｌに沿って前後に移動させることにより、対物レンズ１４Ｌと正立プリズム１６Ｌとの距離が調節させられて、左側観察光学系１２Ｌの合焦動作が行われることになる。
【００３３】
右側マウント板３１Ｒ及び左側マウント板３１Ｌをそれぞれの案内ロッド４２Ｒ及び４２Ｌに沿って同期して移動させると共に右側マウント板３１Ｒと左側マウント板３１Ｌとの間の左右方向の相対的な移動を許容させるために、図６に最もよく示すように、右側マウント板３１Ｒ及び左側マウント板３１Ｌは伸縮自在の連結手段４６によって互いに連結させられる。
【００３４】
詳述すると、本実施形態では、連結手段４６は、右側マウント板３１Ｒの側壁３８Ｒの肥大部４０Ｒの前方端部から左方側に延びた第１の二股連結部材４６ａと、左側マウント板３１Ｌの側壁３８Ｌの肥大部４０Ｌの前方端部から右方側に延びた第１の二股連結部材４６ｂとにより成り、第１の二股連結部材４６ａは第２の二股連結部材４６ｂ内に摺動自在に係合させられる。即ち、第１の二股連結部材４６ａにはその二股部間に横断面矩形状溝４７が形成され、第２の二股連結部材４６ｂにはその二股部間に横断面矩形状溝４８が形成され、第１の二股連結部材４６ａは第２の二股連結部材４６ｂの横断面矩形状溝４８内に左右方向に摺動自在に収容される。なお、第１の二股連結部材４６ａの横断面矩形状溝４７の機能については後で詳しく説明される。
【００３５】
第１の二股連結部材４６ａと第２の二股連結部材４６ｂとの双方の長さについては、右側ケーシング部分１０Ｒと左側ケーシング部分１０Ｌとが収納位置（図２）から最大引出し位置（図３）まで引き出された際にも第１の二股連結部材４６ａと第２の二股連結部材４６ｂとの摺動係合が維持され得るものとされる。かくして、右側ケーシング部分１０Ｒ及び左側ケーシング部分１０Ｌが中央ケーシング部分１０Ｃに対してどのような引出し位置にあっても、右側マウント板３１Ｒと左側マウント板３１Ｌとをそれぞれの案内ロッド４２Ｒ及び４２Ｌに沿って同期して移動させることができる。
【００３６】
図８を参照すると、図１のVIII-VIII線に沿って切断された縦断面図が示される。図１及び図８から明らかなように、中央ケーシング部分１０Ｃの前方壁面には円形開口部４９が形成され、この円形開口部４９は右側ケーシング部分１０Ｒの観察窓１９Ｒと左側ケーシング部分１０Ｌの観察窓１９Ｌとの中間位置に位置させられる。
【００３７】
中央ケーシング部分１０Ｃの前方側壁の内側壁面からは円形開口部４９を取り囲むように前方スリーブ部材５０が一体的に突出させられ、この前方スリーブ部材５０の頂部側は図８に示すように中央ケーシング部分１０Ｃの頂部壁と一体化させられる。一方、前方スリーブ部材５０から後方側に所定の間隔を置いて後方スリーブ部材５２が設けられ、この後方スリーブ部材５２は中央ケーシング部分１０Ｃの頂部壁の内側壁面から吊下するような態様で一体成形される。前方スリーブ部材５０と後方スリーブ部材５２とは互いに整列させられ、その間には転輪軸筒５４が回転自在に適宜保持される。転輪軸筒５４には転輪部５６が後方スリーブ部材５２に接近して一体的に形成され、この転輪部５６の一部は中央ケーシング部分１０Ｃの頂部壁に形成された矩形開口部５８を通して外部に露出させられる。
【００３８】
転輪軸筒５４にはその前方端と転輪部５６との間に雄ねじ６０が形成され、この雄ねじ６０には環状体６２が螺着される。図８に示すように、環状体６２には半径方向外側に突出する突起部６４が形成され、この突起部６４は連結手段４６を構成する第１の二股連結部材４６ａの横断面矩形状溝４７に摺動自在に収容される。一方、環状体６２の頭頂部には平坦面６１Ａが形成され、この平坦面６１Ａは図８に示すように中央ケーシング部分１０Ｃの頂部壁部の内側に形成された摺動面６１Ｂに摺動自在に係合させられ、これにより雄ねじ６０回りでの環状体６２の回転が阻止される。
【００３９】
かくして、転輪部５６が回転させられたとき、環状体６２の回転は阻止されているので、環状体６２は転輪軸筒５４の雄ねじ６０との螺着のためにその長手軸線方向に沿って移動させられ、その移動方向は転輪部５６の回転方向に依存する。要するに、転輪軸筒５４と環状体６２とは転輪軸筒５４の回転運動を環状体６２の直線運動に変換させる運動変換機構を形成する。
【００４０】
環状体６２が転輪軸筒５４の長手軸線方向に沿って移動させると、連結手段４６も共に移動させられ、かくして右側マウント板３１Ｒ及び左側マウント板３１Ｌは互いに同期してそれぞれの案内ロッド４２Ｒ及び４２Ｌに沿って移動させられる。要するに、転輪部５６の回転により、対物レンズ１４Ｒ及び１４Ｌのそれぞれに対する正立プリズム１６Ｒ及び１６Ｌの距離が調整され、このため一対の観察光学系１２Ｒ及び１２Ｌの合焦動作が行われることになる。なお、一対の観察光学系１２Ｒ及び１２Ｌの合焦動作時、転輪部５６の露出部分は本発明による撮影機能付双眼鏡の観察者の例えば人指し指によって操作され、これにより転輪部５６が回転させられることになる。
【００４１】
本実施形態では、一対の観察光学系１２Ｒ及び１２Ｌについては、例えば、対物レンズ１４Ｒ及び１４Ｌのそれぞれに対する正立プリズム１６Ｒ及び１６Ｌの距離が最も短いときに無限遠の観察対象物像に対して合焦が得られるような設計とされ、正立プリズム１６Ｒ及び１６Ｌがそれぞれ対物レンズ１４Ｒ及び１４Ｌから最大距離まで引き離されたとき、近景の観察対象物像、例えば２メートル先の観察対象物像の合焦が得られるようになっている。
【００４２】
転輪軸筒５４内にはレンズ鏡筒６７が設置させられ、このレンズ鏡筒６７内には第１レンズ群６８と第２レンズ群７０とから成る撮影光学系が保持される。一方、中央ケーシング部分１０Ｃの後方側壁の内側壁面には回路基板７２が取り付けられ、この回路基板７２上には固体撮像素子例えばＣＣＤ(charge-coupled device)撮像素子７４が搭載され、このＣＣＤ撮像素子７４はその受光面が撮影光学系（６８、７０）と整列するように配置される。後方スリーブ部材５２の後方端面側には環状フランジ部が形成され、その環状フランジ部には光学的ローパスフィルタ７６が支持される。要するに、本実施形態では、撮影機能付双眼鏡には所謂デジタルカメラとしての撮影機能が与えられ、被写体は撮影光学系（６８、７０）によって光学的ローパスフィルタ７６を通してＣＣＤ撮像素子７４の受光面に結像させられる。なお、撮影光学系（６８、７０）の光軸については参照符号ＯＳで示されている。
【００４３】
本発明による撮影機能付双眼鏡を通常のカメラの場合と同様に、例えば２メール先の近景被写体についても撮影し得るようにするためには、レンズ鏡筒６７には合焦機構を組み込むことが必要となり、しかもその合焦機構については一対の観察光学系１２Ｒ及び１２Ｌの合焦機構と連動させなければならない。
【００４４】
そこで、本実施形態では、転輪軸筒５４の内周壁面には雌ねじが形成され、一方レンズ鏡筒６７の外周壁面には雄ねじが形成され、これによりレンズ鏡筒６７は転輪軸筒５４内で螺着される。レンズ鏡筒６７の前方端部は前方スリーブ部材５０内に挿入させられ、該前方端部には図８に示すように一対のキー溝７８が直径方向に形成され、各キー溝７８はレンズ鏡筒６７の前方端縁からその長手軸線方向に沿って所定長さだけ延びる。一方、前方スリーブ部材５０の後方側端面に接近した箇所には一対のボアが直径方向に形成され、各ボアにはキー溝７８に係合するようになったピン要素８０が植設される。要するに、キー溝７８とピン要素８０との係合により、レンズ鏡筒６７の回転が阻止される。
【００４５】
かくして、転輪軸筒５４がその転輪部５６の指操作により回転させられると、レンズ鏡筒６７はその光軸に沿って移動させられる。即ち、転輪軸筒５４の内周壁面に形成された雌ねじとレンズ鏡筒６７の外周壁面に形成された雄ねじとは該転輪軸筒５４の回転運動をレンズ鏡筒６７の直線運動に変換するための運動変換機能を形成し、この運動変換機構はレンズ鏡筒６７の合焦機構として機能させられる。
【００４６】
転輪軸筒５４の外周壁面に形成される雄ねじ６０とその内周壁面に形成される雌ねじとは互いに逆向きとされ、このため転輪軸筒５４が正立プリズム１６Ｒ及び１６Ｌをそれぞれ対物レンズ１４Ｒ及び１４Ｌから引き離すように回転させられたとき、レンズ鏡筒６７はＣＣＤ撮像素子７４から遠のくように移動させられ、近景被写体がＣＣＤ撮像素子７４の受光面に合焦された状態で結像される。勿論、転輪軸筒５４の外周壁面の雄ねじピッチ及びその内周壁面の雌ねじピッチのそれぞれについては、一対の観察光学系１２Ｒ及び１２Ｌの光学特性及び撮影光学系（６８、７０）の光学特性に応じて異なったものとされる。
【００４７】
図２及び図３に示すように、中央ケーシング部分１０Ｃの底部壁と支持板構造体２０との間には主制御回路基板８１が設けられ、この主制御回路基板８１は中央ケーシング部分１０Ｃの底部壁によって適宜支持される。主制御回路基板８１にはマイクロコンピュータやメモリ等の電子部品が搭載される。図１、図２及び図３に示すように、右側ケーシング部分１０Ｒの右側端部内は仕切り壁２３Ｒによって仕切られ、該仕切り壁２３Ｒの外側壁面には電源回路基板８２が取り付けられる。ＣＣＤ搭載用回路基板７２及び電源回路基板８２は平坦なフレキシブル配線コード（図示されない）を介して主制御回路基板８１に適宜接続される。
【００４８】
本実施形態では、図２、図３及び図８に示すように、中央ケーシング部分１０Ｃの頂部壁の外面にはＬＣＤ(liquid crystal display)表示器８３が配置され、このＬＣＤ表示器８３は図８に示すように該頂部壁の前方側縁に沿って設けた回動軸８４に回動自在に装着される。ＬＣＤ表示器８３は通常は図８に実線で示す収納位置に置かれ、このときＬＣＤ表示器８３の液晶表示面は中央ケーシング部分１０Ｃの頂部壁側に向いているので、その液晶表示面を観察することはできない。ＣＣＤ撮像素子７４によって撮影作動が行われるとき、ＬＣＤ表示器８３はその収納位置から図８で破線で部分的に示すような表示位置まで手動操作により回動させれ、このときＬＣＤ表示器８３の液晶表示面が接眼レンズ１８Ｒ及び１８Ｌの側から観察され得るようになっている。
【００４９】
図１、図２及び図３から明らかなように、左側ケーシング部分１０Ｌの左側端部内は仕切り壁２３Ｌによって仕切られ、その内部はバッテリィ充填室８５として郭成される。バッテリィ充填室８５には二本のバッテリィ８６が充填され、電源回路基板８２は給電配線コード（図示されない）を介してバッテリィ８６から給電を受け、ＣＣＤ搭載用回路基板７２上のＣＣＤ撮像素子、主制御回路基板８１上のマイクロコンピュータやメモリ等の電子部品及びＬＣＤ表示器８３は電源回路基板８２から給電される。
【００５０】
図２及び図３に最もよく示すように、電源回路基板８２には２つの接続コネクタ、即ちビデオ出力端子コネクタ出力８７とＵＳＢ出力端子コネクタ８８とが上下方向に並んで搭載され、これら接続コネクタ８７及び８８は例えば画像処理コンピュータ（図示されない）との接続ために用いられる。電源回路基板８２は接続コネクタ８７及び８８と共にシールドカバー８９によって覆われ、シールドカバー８９については適当な導体材料例えば適当な厚さの鋼板から形成することができる。
【００５１】
また、図２及び図３に示すように、主制御回路基板８１の下側にはＣＦカードホルダ９０が設けられ、このＣＦカードホルダ９０にはＣＦカードがメモリカードとして抜差し自在に挿入し得るようになっている。
【００５２】
ＣＣＤ撮像素子７４に撮影作動を行わせるために必要とされる種々のスイッチ（図示されない）、例えば電源スイッチ、画像表示スイッチ、レリーズスイッチ等は右側ケーシング部分１０Ｒの頂部壁の外側に適宜設けられる。電源スイッチがオンされ、かつ画像表示スイッチがオンされると、ＣＣＤ撮像素子７４の受光面に結像された被写体像は一フレーム分の画像データに光電変換され、その一フレーム分の画像信号は所定の所定の時間間隔で順次読み出されて適宜画像処理された後に一フレーム分のデジタル画像データに変換される。次いで、一フレーム分の画像データは主制御回路基板８１上のフレームメモリに一旦書き込まれ、そのフレームメモリからデジタルビデオ信号として読み出される。続いて、デジタルビデオ信号はアナログビデオ信号に変換された後に適宜画像処理されてＬＣＤ表示器８３に送られ、これによりＬＣＤ表示器８３の液晶表示画面には被写体像が動画として再現表示される。
【００５３】
レリーズスイッチがオンされると、上述のフレームメモリに書き込まれた一フレーム分の画像データが静止画像データとして読み出されて、主制御回路基板８１上のマイクロコンピュータ内のメモリに取り込まれ、そこで適宜画像処理された後にＣＦカードホルダ９０内のＣＦカードに所定のフォーマットに従って書き込まれる。ＣＦカードは必要に応じてＣＦカードホルダ９０から取り出され、例えば画像処理コンピュータのＣＦカード用ドライバに装填され、そこで一フレーム分の画像データは適宜処理された後に例えばプリンタによって撮影画像として出力される。一方、撮影機能付双眼鏡が接続コネクタ８７或いは８８を介して画像処理コンピュータに接続されている場合には、ＣＦカードをＣＦカードホルダ９０に装填された儘でその画像データを画像処理コンピュータに転送することも可能である。
【００５４】
以上に述べた第１の実施形態にあっては、図１ないし図３から明らかなように、撮影光学系（６８、７０）の光軸ＯＳが一対の観察光学系１２Ｒ及び１２Ｌの光軸、すなわち右側観察光学系１２Rの光軸ＯＲと左側観察光学系１２Ｌの光軸ＯＬとを含んで規定される平面Ｐ上に含まれ、かつ双方の光軸ＯＲ及びＯＬと平行となるように、撮影光学系（６８、７０）が一対の観察光学系１２Ｒ及び１２Ｌに対して配置される。しかも撮影光学系（６８、７０）の光軸ＯＳは一対の観察光学系１２Ｒ及び１２Ｌの眼幅調節位置に関係なく常に一対の観察光学系１２Ｒ及び１２Ｌの光軸ＯＲ及びＯＬ間の中央に位置させられる。かくして、本実施形態においては、撮影光学系（６８、７０）と一対の観察光学系１２Ｒ及び１２Ｌとの間から水平方向及び垂直方向のいずれの視差(パララックス)も実質的に排除され得る。
【００５５】
図９及び図１０を参照すると、本発明による撮影機能付双眼鏡の第２の実施形態が図示され、図９及び図１０では、撮影機能付双眼鏡の前方側がそれぞれ正面図として示されている。
【００５６】
第２の実施形態では、ケーシング９１は右側ケーシング部分９１Ｒと左側ケーシング部分９１Ｌとに二分割された形態とされ、双方のケーシング部分９１Ｒ及び９１Ｌは互いに摺動自在に係合させられて左右方向に伸縮自在とされる。即ち、左側ケーシング部分９１Ｌは右側ケーシング部分９１Ｒに対して図９に示す収納位置と図１０に示す最大引出し位置との間で移動自在とされる。右側ケーシング部分９１Ｒ内には右側観察光学系９２Ｒが設けられ、左側ケーシング部分９１Ｌ内には左側観察光学系９２Ｌが設けられる。従って、右側ケーシング部分９１Ｒに対して左側ケーシング部分９１Ｌを引き出すことにより、右側観察光学系９２Ｒ及び左側観察光学系９２Ｌの光軸間距離即ち眼幅が調節される。
【００５７】
第２の実施形態では、右側ケーシング部分９１Ｒ内に撮影光学系９４が設けられ、このとき撮影光学系９４の光軸ＯＳが一対の観察光学系９２Ｒ及び９２Ｌの光軸ＯＲ及びＯＬによって規定される平面Ｐに含まれるように撮影光学系９４が一対の観察光学系９２Ｒ及び９２Ｌに対して配置される。また、左側ケーシング部分９１Ｌが右側ケーシング部分９１Ｒに対して収納位置に置かれているとき（図１１）、撮影光学系９４の光軸ＯＳは一対の観察光学系９２Ｒ及び９２Ｌの光学系の中央に位置させられる。
【００５８】
かくして、第２の実施形態では、左側ケーシング部分９１Ｌが右側ケーシング部分９１Ｒに対してその収納位置から引き出されると（図１２）、左側観察光学系９２Ｌと撮影光学系９４との間の光軸間距離は右側観察光学系９２Ｒと撮影光学系９４との光軸間距離よりも大きくなり、この差分だけ、水平方向の視差(パララックス)が生じることになるが、しかしその視差の程度は小さなものとなる。一方、第２の実施形態でも、第１の実施形態の場合と同様に、撮影光学系９４の光軸ＯＳと一対の観察光学系９２Ｒ及び９２Ｌの光軸ＯＲ及びＯＬとは同一平面内に含まれるので、垂直方向の視差は確実に排除され得る。
【００５９】
第２の実施形態においては、ケーシング９１の内部構造について特に説明しないが、一対の観察光学系９２Ｒ及び９２Ｌの合焦及び撮影光学系の合焦については第１の実施形態の場合と同様な態様で行うことが可能である。なお、図９及び図１０において、参照符号９５は右側ケーシング部分９１Ｒの頂部壁上に搭載されたＬＣＤ表示器を示し、このＬＣＤ表示器９５は第１の実施形態で用いられたＬＣＤ表示器８３と同様な機能を果たすものである。
【００６０】
図１１及び図１２を参照すると、上述した第２の実施形態の変形実施形態が示される。なお、図１１及び図１２において、図９及び図１０に示した構成要素と同様な構成要素については同じ参照符号が用いられる。
【００６１】
図１１及び図１２に示す変形実施形態でも、撮影光学系９４の光軸ＯＳと一対の観察光学系９２Ｒ及び９２Ｌの光軸ＯＲ及びＯＬとは同一平面内に含まれるが、しかし左側ケーシング部分９１Ｌが右側ケーシング部分９１Ｒに対して収納位置に置かれているとき（図１１）、撮影光学系９４は右側観察光学系９２Ｒよりも左側観察光学系９２Ｌに接近した位置に配置される。即ち、右側観察光学系９２Ｒと撮影光学系９４との光軸間距離は左側観察光学系９２Ｌと撮影光学系９４との間の光軸間距離よりも大きく、右側観察光学系９２Ｒと撮影光学系９４との光軸間距離は平均眼幅値の１／２に等しく、また左側観察光学系９２Ｌと撮影光学系９４との間の光軸間距離はそれよりも小さい。
【００６２】
従って、図１２に示すように、左側ケーシング部分９１Ｌが右側ケーシング部分９１Ｒに対してその収納位置から引き出されて、左側観察光学系９２Ｌと撮影光学系９４との間の光軸間距離が右側観察光学系９２Ｒと撮影光学系９４との光軸間距離と等しくされたとき、右側観察光学系９２Ｒ及び左側観察光学系９２Ｌの光軸間距離は平均眼幅値に相当し、しかも撮影光学系９４の光軸は一対の観察光学系９２Ｒ及び９２Ｌの光軸間の中央に位置することになる。かくして、右側観察光学系９２Ｒ及び左側観察光学系９２Ｌの光軸間距離が平均眼幅値に相当するように調節された場合には、上述した第１の実施形態の場合と同様に、撮影光学系９４と一対の観察光学系９２Ｒ及び９２Ｌとの間から水平方向及び垂直方向のいずれの視差(パララックス)も実質的に排除され得る。
【００６３】
図１３を参照すると、本発明による撮影機能付双眼鏡の第３の実施形態が図示され、同図では、撮影機能付双眼鏡の前方側が正面図として示されている。
【００６４】
第３の実施形態でも、ケーシング９６は右側ケーシング部分９６Ｒと左側ケーシング部分９６Ｌとに二分割された形態とされ、双方のケーシング部分９６Ｒ及び９６Ｌは互いに摺動自在に係合させられて左右方向に伸縮自在とされる。即ち、第３の実施形態でも、上述した第２の実施形態の場合と同様に、左側ケーシング部分９６Ｌは右側ケーシング部分９６Ｒに対する収納位置（図１３）と右側ケーシング部分９６Ｒに対する位置最大引出し位置との間で移動自在とされる。右側ケーシング部分９６Ｒ内には右側観察光学系９７Ｒが設けられ、左側ケーシング部分９６Ｌ内には左側観察光学系９７Ｌが設けられる。従って、上述した第２の実施形態の場合と同様に、右側ケーシング部分９６Ｒに対して左側ケーシング部分９６Ｌを引き出すことにより、右側観察光学系９７Ｒ及び左側観察光学系９７Ｌの光軸間距離即ち眼幅が調節される。
【００６５】
第３の実施形態では、撮影光学系９８は右側ケーシング部分９６Ｒ内に設けられるが、しかし撮影光学系９８は一対の観察光学系９７Ｒ及び９７Ｌの間ではなく右側ケーシング部分９６Ｒの右側端に接近して配置される。第３の実施形態でも、上述の第１及び第２の実施形態の場合と同様に、撮影光学系９８の光軸ＯＳが一対の観察光学系９７Ｒ及び９７Ｌの光軸ＯＲ及びＯＬとを含む平面に含まれるように撮影光学系９８が一対の観察光学系９７Ｒ及び９７Ｌに対して配置され、このため垂直方向の視差は確実に排除され得る。
【００６６】
なお、第３の実施形態にあっては、撮影光学系９８と一対の観察光学系９７Ｒ及び９７Ｌとの間の水平方向の視差は第２の実施形態の場合よりも大きなものとなるが、しかしその視差の程度は容認されるものとなる。
【００６７】
第３の実施形態においても、ケーシング９６の内部構造について特に説明しないが、一対の観察光学系９２Ｒ及び９２Ｌの合焦及び撮影光学系の合焦については第１の実施形態の場合と同様な態様で行うことが可能であるが、しかし第３の実施形態では、転輪部の回転運動を撮影光学系９８の鏡筒側に伝達してその回転運動を該鏡筒の光軸方向に沿う直線運動に変換する機構が必要となる。なお、図１３において、参照符号９９は右側ケーシング部分９６Ｒの頂部壁上に搭載されたＬＣＤ表示器を示し、このＬＣＤ表示器９９は第１の実施形態で用いられたＬＣＤ表示器８３と同様な機能を果たすものである。
【００６８】
上述した第２及び第３の実施形態において一対の観察光学系（９２Ｒ；９２Ｌ、９７Ｒ；９７Ｌ）によって観察される近景の観察対象物を被写体として撮影光学系（９４、９８）によって撮影しようとする場合に水平方向の視差（パララックス）が生じ得ることになるが、しかし無限遠の遠景被写体を一対の観察光学系（９２Ｒ；９２Ｌ、９７Ｒ；９７Ｌ）によって観察される無限遠の観察対象物を被写体として撮影光学系（９４、９８）によって撮影しようとする場合には、勿論、かかる水平方向の視差（パララックス）については無視し得るものとなる。
【００６９】
上述の実施形態では、撮影機能付双眼鏡にはその撮影機能として所謂デジタルカメラ機能が与えられているが、しかし銀塩カメラ機能を与えることも可能である。勿論、その場合には、ＣＣＤ撮像素子に代えて銀塩フィルムが使用されることになる。
【００７０】
【発明の効果】
以上の記載から明らかなように、本発明による撮影機能付双眼鏡においては、一対の観察光学系及び撮影光学系についてはそれらの光軸がすべて同一平面内に含まれるように配置されるので、一対の観察光学系と撮影光学系との間から少なくとも垂直方向の視差（パララックス）は確実に排除することが可能であり、かくして一対の観察光学系で観察された観察対象物を所望のフレームミングで容易にかつ的確に撮影することができる。また、一対の観察光学系と撮影光学系との間から水平方向及び垂直方向の視差（パララックス）を排除した場合には、所望のフレームミングでの撮影は一層容易にかつ的確に行うことが可能となる。
【００７１】
また、本発明による撮影機能付双眼鏡において、転輪軸筒内に撮影光学系が組み込まれた場合には、その双眼鏡としての機能を果たすために必要とされる全体構成以上に大巾に嵩張らせることなく撮影機能を組み込むことが可能となる。なお、双眼鏡の転輪部には観察者の指で容易に回転し得るように比較的大きな径が与えられるので、該転輪部の回転軸が撮影光学系を設置するための転輪軸筒として形成されたとしても、双眼鏡としての機能を果たすために必要とされる全体構成が大巾に嵩張るというようなことはない。
【００７２】
更に、本発明による撮影機能付双眼鏡において、一対の観察光学系の合焦機構（運動変換機構）と撮影光学系の合焦機構（運動変換機構）とが連動させた場合には、一対の観察光学系により合焦された状態で観察される観察像が被写体像として撮影されるときも、その被写体像は撮影光学系によって合焦された状態とされ、このため所謂ピントの合った撮影像が得られる。
【図面の簡単な説明】
【図１】本発明による撮影機能付双眼鏡の第１の実施形態を示す平面断面図である。
【図２】図１のII-II線に沿う断面図であって、撮影機能付双眼鏡の中央ケーシング部分に対して右側ケーシング部分及び左側ケーシング部分を収納位置で示す図である。
【図３】図2の同様な断面図であって、撮影機能付双眼鏡の中央ケーシング部分に対して右側ケーシング部分及び左側ケーシング部分を最大引出し位置で示す図である。
【図４】撮影機能付双眼鏡のケーシング内に設けられる支持板構造体の平面図であって、右側ケーシング部分及び左側ケーシング部分が図２に示す収納位置に置かれているときその収納位置に対応した位置で支持板構造体の右側スライド板及び左側スライド板を示す図である。
【図５】図４と同様な平面図であって、右側ケーシング部分及び左側ケーシング部分が図３に示す最大引出し位置に置かれているときその最大引出し位置に対応した位置で支持板構造体の右側スライド板及び左側スライド板を示す図である。
【図６】図４及び図５に示す支持板構造体上に設置される右側マウント板及び左側マウント板の平面図である。
【図７】図６のVII-VII線に沿う矢視図である。
【図８】図１のVIII-VIII線に沿う縦断面図である。
【図９】本発明による撮影機能付双眼鏡の第２の実施形態を示す正面図であって、右側ケーシング部分に対して左側ケーシング部分を収納位置で示す図である。
【図１０】図９と同様な正面図であって、右側ケーシング部分に対して左側ケーシング部分を最大引出し位置で示す図である。
【図１１】本発明による撮影機能付双眼鏡の第２の実施形態の変形実施形態を示す正面図であって、右側ケーシング部分に対して左側ケーシング部分を収納位置で示す図である。
【図１２】図１１と同様な正面図であって、右側ケーシング部分に対して左側ケーシング部分を所定の引出し位置で示す図である。
【図１３】本発明による撮影機能付双眼鏡の第３の実施形態の変形実施形態を示す正面図であって、右側ケーシング部分に対して左側ケーシング部分を収納位置で示す図である。
【符号の説明】
１０  ケーシング
１０Ｃ  中央ケーシング部分
１０Ｒ  右側ケーシング部分
１０Ｌ  左側ケーシング部分
１２Ｒ  右側観察光学系
１２Ｌ  左側観察光学系
２０  支持板構造体
２０Ｒ  右側スライド板
２０Ｌ  左側スライド板
２６  ラック／ピニオン機構
３１Ｒ  右側マウント板
３１Ｌ  左側マウント板
４６  連結手段
５０  前方スリーブ部材
５２  後方スリーブ部材
５４  転輪軸筒
５６  転輪部
６２  環状体
６７  レンズ鏡筒
６８  第１レンズ群
７０  第２レンズ群
７４  ＣＣＤ撮像素子
７６  光学的ローパスフィルタ
８３  ＬＣＤ表示器
【図１】
0003998961.tif 000002
【図２】
0003998961.tif 000003
【図３】
0003998961.tif 000004
【図４】
0003998961.tif 000005
【図５】
0003998961.tif 000006
【図６】
0003998961.tif 000007
【図７】
0003998961.tif 000008
【図８】
0003998961.tif 000009
【図９】
0003998961.tif 000010
【図１０】
0003998961.tif 000011
【図１１】
0003998961.tif 000012
【図１２】
0003998961.tif 000013
【図１３】
0003998961.tif 000014